(57)【要約】  本発明は、下腿（１１２）上で支持するための支持機構（２）と足（１１０）を保持するためのホルダ機構（３）とを有する足関節による足運動を制動するための足運動ダンパ（１）に関し、支持機構（２）とホルダ機構（３）の間の相対運動を制動するための少なくとも１つの制動要素（４０）を有する制動機構（４）が提供され、制動機構（４）は、支持機構（２）に結合するための支持結合機構（４２）と、ホルダ機構（３）に結合するためのホルダ結合機構（４１）とを有し、支持機構（２）が、少なくとも１つの支持領域（２０，２１）と少なくとも１の支持固定具（２２）とを有し、支持機構（２）は、足関節の踝（１１４）の上で少なくとも１つの支持領域（２０，２１）によって支持でき、少なくとも１つの支持固定具（２２）が、下腿（１１２）に取り付けられた状態で少なくとも１つの支持領域（２０，２１）の位置を固定するように設計される。本発明は、更に足裏部材（８２）、甲皮及び前述の足運動ダンパ（１）を含む、足関節による足運動を制動するための靴（８０）に関する。
2020519414.tif 000002
【特許請求の範囲】
【請求項１】
足関節による足運動を制動するための足運動制動装置（１）であって、
下腿（１１２）上で支持するための支持機構（２）と、足（１１０）上で保持するための保持機構（３）とを備え、
前記支持機構（２）と前記保持機構（３）の間の相対運動を制動するための少なくとも１つの制動要素（４０）を有する制動機構（４）が配置され、前記制動機構（４）が、前記支持機構（２）に取り付けるための支持アタッチメント（４２）と、前記保持機構（３）に取り付けるための保持アタッチメント（４１）とを有し、
前記支持機構（２）は、少なくとも１つの支持領域（２０，２１）と少なくとも１つの支持固定具（２２）とを備え、前記支持機構（２）を距骨（１１４）上に、前記足関節の前記距骨（１１４）の上の前記少なくとも１つの支持領域（２０，２１）によって支持でき、前記少なくとも１の支持固定具（２２）が、前記下腿（１１２）に取り付けられた状態で前記少なくとも１つの支持領域（２０，２１）の位置を固定するように構成された足運動制動装置（１）。
【請求項２】
前記支持機構（２）が、第１の側（４６）、好ましくは前記足関節の外側（Ｌ）で支持するための少なくとも１つの第１の支持領域（２０）と、第２の側（４７）、好ましくは前記足関節の内側（Ｍ）で支持するための少なくとも１つの第２の支持領域（２１）とを有する、請求項１に記載の足運動制動装置（１）。
【請求項３】
前記支持アタッチメント（４２）が、前記支持機構（２）に対して、前記下腿（１１２）に取り付けられた状態で、好ましくは前記足関節の外側（Ｌ）に対応する前記支持機構（２）の第１の側（４６）上に少なくとも部分的に接続され、前記下腿（１１２）に取り付けられた状態で、好ましくは前記足関節の内側（Ｍ）に対応する前記支持機構（２）の第２の側（４７）に少なくとも部分的に接続された、請求項１又は２に記載の足運動制動装置（１）。
【請求項４】
前記支持アタッチメント（４２）が、前記第１の側（４６）で前記支持機構（２）に取り付けるための第１の支持アーム（４３）と、前記第２の側（４７）で前記支持機構（２）に取り付けるための第２の支持アーム（４４）とを有する、請求項３に記載の足運動制動装置（１）。
【請求項５】
前記第１の支持アーム（４３）と前記第２の支持アーム（４４）が、一体形成された、請求項３に記載の足運動制動装置（１）。
【請求項６】
制動要素（４０）が前記第１の支持アーム（４３）に一体化され及び／又は制動要素（４０）が前記第２の支持アーム（４４）に一体化された、請求項３又は４に記載の足運動制動装置（１）。
【請求項７】
制動要素（４０）が、前記保持アタッチメント（４１）に一体化された、請求項１〜６のいずれか一項に記載の足運動制動装置（１）。
【請求項８】
前記保持アタッチメント（４１）が、前記保持機構（３）の足裏部材（３０）によって規定された平面と共に、０°〜９０°、好ましくは３０°〜７０°、特に好ましくは５０°〜６０°、及び極めて好ましくは５７°の角度をなす、請求項７に記載の足運動制動装置（１）。
【請求項９】
前記支持アタッチメント（４２）と前記保持アタッチメント（３）の間の移行部（４５）が、関節接続式又は可動式に構成された、請求項１〜８のいずれか一項に記載の足運動制動装置（１）。
【請求項１０】
足裏部材（８２）と上部を備える、前記足関節による足運動を制動するための靴（８０）であって、請求項１〜９のいずれか一項に記載の足運動制動装置（１）を有する靴（８０）。
【請求項１１】
前記制動機構（４）が、前記靴（８０）の外側に少なくとも部分的に配置された、請求項１０に記載の靴（８０）。
【請求項１２】
前記保持アタッチメント（４１）が少なくとも部分的に前記靴（８０）に一体化され及び／又は前記支持アタッチメント（４２）が前記靴（８０）に少なくとも部分的に一体化され及び／又は少なくとも１つの制動要素（４０）が前記靴（８０）に一体化され、好ましくは、前記制動機構（４）全体が前記靴（８０）に一体化された、請求項１０又は１１に記載の靴（８０）。
【請求項１３】
前記支持機構（２）が、別個の構成要素として提供された、請求項１０〜１２のいずれか一項に記載の靴（８０）。
【請求項１４】
前記靴（８０）が、高筒（８５）を有し、前記支持機構（２）が前記高筒（８５）に一体化された、請求項１０〜１２のいずれか一項に記載の靴（８０）。
【発明の詳細な説明】
【技術分野】
【０００１】
本発明は、足関節による足運動を制動するための足運動制動装置、及びこれに対応して足関節による足運動を制動するように構成された靴に関する。
【背景技術】
【０００２】
足首の捻挫、即ち、足関節軸の少なくとも１つに関する非生理学的範囲内の足関節の動きによって起こる外傷を防ぐために、足運動を制限するための装置によって足関節の運動を安定化することが知られている。最もよくある形の捻挫損傷は、内返し後の伸長又は断裂としての足関節歪みである。内返し角が大きいため、足関節軸に関する内返し運動によって足と下腿との距離が変化する。規定の内返し角度又は規定の内返し速度若しくは内返し加速度を超えたとき、足関節の靭帯の損傷又は断裂が起こりうる。
【０００３】
これを防ぐため、規定範囲内の運動を許容し、かつ足関節軸のまわりの運動の規定の制限角度から、運動を完全に防止する装置が知られている。この目的のため、主に副木又は副木板の使用によって運動が抑制される比較的硬い装具が知られている。
【０００４】
更に、足関節の運動が運動の規定の制限角度まで許容され、その構造により、この制限角度からの運動が完全に防止される装置が知られている。そのような装置は、例えば、特許文献１から知られている。そのような装置は、制限角度に達するまで保護効果を全くもたらさない。しかしながら、既に弱くなっている靭帯の場合又は損傷後に足首を捻ったときのけがのリスクは特に、内返し角度だけでなく、捻った際の内返し速度と内返し加速度にも大きく依存する。そのような装置は、制限（内返し）角度より下の範囲では、保護を全く提供しない。更に、制限角度に達した後で、運動が完全に防止される。捻り運動が急に止まると、足関節の構造に相当な負荷がかかり、その結果、例えば骨の亀裂や軟骨損傷などのけがのリスクが高まる。更に、足関節のこの防止のため、捻れ運動が次の関節に伝達される。足関節の捻れの場合、この次の関節は膝関節である。大きな応力中心距離の存在、力の好ましくない導入、及び膝関節の複雑さのために、深刻な損傷、例えば、十字靱帯裂傷や半月板損傷などが起こることがあり、これらの傷は、傷を負った人を制限し、また治療が複雑で治療の可能性が比較的限られるので、足関節靭帯の損傷よりはるかに悪い結果となる。
【０００５】
最小限の運動を可能にしかつ危険な運動を防止する装置も知られている。特許文献２は、足関節による内返し運動を適応的に制限するための装置を開示する。足からの力が作用した場合に装具の上側部分が足の方向に動くのを防ぐために、ここに開示された足関節装具は、上側領域の保持を支援するために、足関節の内側にあり装具の上側領域と装具の下側領域の間に延在し、両方の領域にしっかり接続されなければならない圧力安定バーを必要とする。このバーは、外側の取り外し装置によって上側領域に導かれた引張力が、内側上の圧縮力として、変形や挫屈なしに下側領域に戻されるように構成されなければならない。これにより、遠位領域での位置が確保される。しかしながら、足の内側のバーは、足関節の運動の自由度も制限する。
【先行技術文献】
【特許文献】
【０００６】
【特許文献１】欧州特許第２７１７８０９号明細書
【特許文献２】独国特許出願公開第１０  ２０１４  １０７  ３３５号明細書
【発明の概要】
【課題を解決するための手段】
【０００７】
既知の先行技術から、本発明の目的は、足関節による足運動を制動するための改善された足運動制動装置を使用可能にすることである。
【０００８】
この目的は、請求項１の特徴を有する足関節による足運動を制動するための足運動制動装置によって達成される。有益な成果は、従属クレーム、記述及び図から明らかになる。
【０００９】
したがって、下腿上で支持するための支持機構と足上で保持するための保持機構とを備えた、足関節による足運動を制動するための足運動制動装置が提案される。本発明によれば、支持機構と保持機構の間の相対運動を制動するための少なくとも１つの制動要素を有する制動機構が配置され、制動機構は、支持機構に取り付けるための支持アタッチメントと、保持機構に取り付けるための保持アタッチメントとを有する。支持機構は、更に、少なくとも１つの支持領域と少なくとも１つの支持固定具を有し、支持機構は、足関節の距骨の上の少なくとも１つの支持領域によって距骨上で支持されてもよく、少なくとも１つの支持固定具が、下腿に取り付けられた状態で少なくとも１つの支持領域の位置を固定するように構成される。
【００１０】
この場合、用語「足関節」は、上側及び下側足関節を含み、したがって、実質的に足の足底屈と背屈を可能にする上側足関節の運動軸と、回外、内転及び足底屈を含む内返しと外返し、外転及び背屈を実質的に可能にする下側足関節の運動軸とを含む。
【００１１】
ここで、用語「距骨」は、関節の受け皿の隆起、上側足関節の果間関節窩として理解される。したがって、用語「距骨」は、この場合、外果と内果を含む。関節の受け皿としての果間関節窩の構成によって、距骨は、近位−遠位方向に関して、上の部分、したがって下腿の近位隣接部分よりも大きい断面積を有する。したがって、距骨の周囲長は、近位隣接部分より大きい。
【００１２】
制動機構が、支持機構と保持機構の間の相対運動を制動するための少なくとも１つの制動要素を備えるという事実により、制動機構は、支持機構に取り付けるための支持アタッチメントと、保持機構に取り付けるための保持アタッチメントとを有し、足関節の運動の制限角度を超えた動きも提供できる。更に、運動は、足の各位置で制動されうる。
【００１３】
支持機構が、少なくとも１つの支持領域と少なくとも１つの支持固定具を有するという事実により、足関節の距骨の上の少なくとも１つの支持領域によって支持機構を距骨上に支持でき、少なくとも１つの支持固定具は、下腿に取り付けられた状態で少なくとも１つの支持領域の位置を固定するように構成され、制動機構を介して保持機構の方向に支持機構に引張力が働く場合に、支持機構からの力を、少なくとも１つの支持領域を介して距骨に伝達可能なことが保証される。換言すると、足運動制動装置が、ユーザに嵌められるか装着されたとき、支持機構は、距骨上に実質的にぴったり合うように、上から（即ち、近位方向に）足の方向（即ち、遠位方向）に支持される。ぴったり合った接続は、ここで下腿のテーパ付き領域を距骨から近位方向に取り囲むことによって可能にされる。更に、したがって、支持機構を柔軟に構成できる。その結果、距骨又は足関節を広範囲に覆う堅い殻を有する剛性の機構が不要になる。
【００１４】
支持固定具は、ここで、嵌められるか装着されたときに少なくとも１つの支持領域の下腿に対する位置が変化するのを防ぐように構成される。支持固定具は、ここで、撓みアイレット及びタッチアンドクローズファスナを有する伸びにくいバンドとして、好ましくはタッチアンドクローズバンドとして構成されることが好ましく、したがって、撓みアイレットを介して下腿にしっかりと装着され、タッチアンドクローズファスナによって固定されうる。これは、特に、少なくとも１つの支持領域が距骨上で下方（即ち、遠位方向）に滑ることができないように、支持機構の膨張拡径を防ぐ。あるいは、支持固定具は、支持機構上に締めひもとしても提供されうる。
【００１５】
詳細には、前述した支持機構と保持機構の間の制動機構の提供と前述の支持機構の構成の組み合わせによって、足運動制動装置による捻り運動の制動中に膝関節が受け入れがたい圧迫を受けることなく、生理学的動作中に損傷を生じさせない足関節の高い可動性と、同時に非生理学的運動中の良好な保護効果が、足の全ての位置で得られる。少なくとも１つの制動要素は、捻れの際に生じ、また応力中心距離が増大したときに膝関節によって違う風に吸収されなければならないエネルギーの一部を吸収できる。少なくとも１つの制動要素は、ここで、足関節の損傷を防ぐために十分に大きい制動作用を可能にし、更にまた膝関節の損傷を防ぐために十分なエネルギーを吸収できるように設定されることが好ましい。このように、捻れの際に生じるエネルギーは、少なくとも１つの制動要素によって部分的に吸収され、中果間関節窩の外側隆起の上側領域を介して距骨の上から支持機構を介して下腿内に導かれ、また膝関節によって部分的に補われる。
【００１６】
好ましい成果としては、支持機構は、柔軟でしなやかな材料を有する。少なくとも１つの支持領域が、伸びにくく、発泡材の外側に半径方向に配置され、下腿の周囲方向に伸びるバンドとの組み合わせで、装着された状態で下腿に対する発泡ライニングによって形成されることが好ましい。前記バンドは、好ましくは同時に支持固定具を形成する。それにより、支持機構を柔軟な足拘束物として構成できる。支持機構の柔軟性は、距骨に生じる局所的な圧点又は摩擦点を回避することを可能にする。少なくとも１つの支持領域は、柔軟な構造のために距骨の上側面に寄り添い、したがって圧力を均一に分配する。
【００１７】
開発において、支持機構は、好ましくは、局所的に配置され寸法的に安定した又は圧力安定した要素を有し、それを介して、支持機構に導かれた力を距骨に均一に伝達できる。
【００１８】
更に他の好ましい実施形態において、支持機構は、第１の側（好ましくは足関節の内側）で支持するための少なくとも１つの第１の支持領域と、第２の側（好ましくは足関節の外側）で支持するための少なくとも１つの第２の支持領域とを有する。それにより、支持機構を距骨上に均一に支持できる。それにより、制動機構を介して保持機構から来る力が、複数の支持領域にわたって距骨に伝達され分散され、したがって大きい力が片側又は局所的に導かれるのが回避され、支持機構をその位置に特に確実に保持できる。第１の支持領域が、嵌められるか装着された状態で、外果上に上から支持されるように構成され、第２の支持領域が、嵌められるか装着された状態で、内果上に上から支持されように構成される場合、特に均一な支持が達成できる。
【００１９】
好ましい更に他の実施形態において、支持アタッチメントは、支持機構に、下腿に取り付けられた状態で、好ましくは足関節の外側に対応する支持機構の第１の側で少なくとも部分的に接続され、下腿に取り付けられた状態で、好ましくは足関節の内側に対応する支持機構の第２の側で少なくとも部分的に接続される。これによって、保持装置から力の作用がある場合、例えば捻れの結果として、力が、支持機構の第１の側と支持機構の第２の側に分散される。したがって、各場合に下腿又は支持機構の周囲方向に向けられた力成分は、逆方向に作用するように導かれる。それにより、片側で周囲方向に導入又は作用する力による滑りのリスクが減少するか、あるいは完全に回避される。
【００２０】
更に他の好ましい実施形態により、支持アタッチメントが、第１の側で支持機構に取り付けるための第１の支持アームと、第２の側で支持機構に取り付けるための第２の支持アームとを有する場合、支持アタッチメントは、特に材料を節約して実現されうる。更に、支持アームの構成により、捻れによって生じた力を、特定の方式でそらすか、望ましい方向に作用するように支持機構に導くことができる。それにより、更に、足又は下腿の解剖学的構造を考慮でき、それにより、露出点での摩擦力を回避できる。
【００２１】
特に単純で頑強な実施形態では、第１の支持アームと第２の支持アームが一体形成される。
【００２２】
更に他の好ましい実施形態によれば、制動要素が第１の支持アームに一体化され及び／又は制動要素が第２の支持アームに一体化される。それにより、足運動制動装置が、特に単純かつ小型に構成されうる。支持アームが、足関節の内返し方向又は外返し方向に対して斜めに配置された場合、それぞれの制動要素の取り出し経路が、それぞれの支持アームと内返し方向又は外返し方向とのなす角度に対応するように延在される。制動要素の制動挙動は、制動要素の相応する、より大きい取り出し経路の存在によってより正確に設定されうる。更に、支持アームに一体化された制動要素は、それぞれの支持アームを介して伝達された力又は力成分だけを吸収又は制動しなければならない。制動要素は、それに応じてより小さくかつより単純に構成されうる。
【００２３】
更に他の好ましい実施形態では、制動要素は、保持アタッチメントに一体化される。それにより、制動要素の作用方向は、予期された内返し方向に正確に適応されてもよく、それに従って事前に決定されてもよい。
【００２４】
足関節による運動の特に効果的な制動又は制限は、保持アタッチメントが、保持機構の足裏部材又はインサートによって定義された平面と共に、０°〜９０°、好ましく３０°〜７０°、特に好ましくは５０°〜６０°、及び極めて特に好ましくは５７°の角度をなす場合に達成されうる。
【００２５】
「足裏部材」は、ここでは、装置が装着されたときに、装着者の足下側の少なくとも一部分と平面接触する領域であると理解される。足裏部材は、好ましくはインサートとして構成される。
【００２６】
好ましい更に他の実施形態では、装置は、完全に別個の装置として利用可能にされる。換言すると、装置は、他の装置と組み合わされることなく機能する。詳細には、装置の一部分は、靴に留められる又は靴に一体化される必要はない。
【００２７】
足運動制動装置によって足関節運動を特に効果的に制動可能にするために、更に他の好ましい実施形態によれば、保持アタッチメント又は保持アタッチメントと一体化された制動要素が、足運動制動装置の側面図（即ち、足運動制動装置を装着している人の足の内側図又は外側図）で見たときに、得られる制動要素の作用方向又は作用線が、ほぼ足の中足趾節関節Ｄ５の領域（即ち、中足骨と足の小指の近位基節骨の間の領域）内の保持領域の足裏部材と交差するように配置される。
【００２８】
足運動制動装置を装着している足の可動性がほとんど影響を受けないように、更に他の好ましい実施形態により、支持アタッチメントと保持アタッチメントの間の移行部は、関節接続されるか可動式に構成される。移行部は、好ましくは、滑り継手、回転継手又は横方向力継手の形で構成される。あるいは、移行部は、曲がりとして構成されてもよく、移行部は、好ましくは、ローラ、アイレット及び／又はループを有する。例えば、足運動制動装置を装着している足が足底屈又は背屈する場合、支持アタッチメントは、前述の運動の範囲が足運動制動装置によって制限されることなく移行部の領域内で保持アタッチメントに対して回転又は移動されうる。
【００２９】
更に他の好ましい実施形態では、足運動制動装置は、靴下、サッカーソックス、装具又は帯具上に配置される。
【００３０】
更に他の好ましい実施形態では、支持アームの少なくとも１つは、支持アタッチメントの長さに適応するための調整可能な取り付け領域を有する。調整可能な機構は、好ましくは、ラッチ機構、フック接続又はタッチアンドクローズ接続の形で構成される。調整可能な取り付け領域は、好ましくは、支持固定具の留め具によって固定される。
【００３１】
上述の目的は、更に、請求項１０の特徴によって、足関節による足運動を制動するための靴によって達成される。有益な成果は、従属クレーム、記述及び図から明らかになる。
【００３２】
したがって、足裏部材と甲皮を備えた、足関節による足運動を制動するための靴が提案される。本発明によれば、以上の実施形態のうちの１つによる足運動制動装置は、靴上に配置される。靴上に提供される以上の実施形態のうちの１つによる足運動制動装置により、靴のユーザ又は装着者は、前述の利点から利益を得うる。
【００３３】
「靴」は、ここで、甲皮又は靴筒とこれに接続された固い底又は足裏部材とを有する任意の形の靴状の足用衣料、詳細には矯正靴、スポーツ靴、レジャー靴及びブーツとして理解される。
【００３４】
靴の更に他の好ましい実施形態では、制動機構は、靴の外側に少なくとも部分的に配置される。それにより、捻れた場合に生じる経路、詳細には生じる取り出し経路は、できるだけ大きく、それにより、制動機構の特に正確な調整と特に効果的な制動を可能にする。更に、靴を足運動制動装置で容易に改造でき、部品を容易に保守及び／又は交換できる。
【００３５】
靴の更に他の好ましい実施形態では、保持アタッチメントが靴に少なくとも部分的に一体化され及び／又は支持アタッチメントが靴に少なくとも部分的に一体化され及び／又は少なくとも１つの制動要素が靴に一体化され、好ましくは、制動機構全体が靴に一体化される。それにより、靴の特に硬く小型の構造を達成できる。更に、靴は、靴の使用中、例えばサッカーゲーム中に、靴の外側で突出してスポーツの実行に悪影響のある部分が少なくなるか無くなるように構成されうる。更に、靴は、外側から見たとき、制動のための足運動制動装置のない靴と違いがあってもほんの僅かになるように構成されうる。したがって、靴の審美的外観が、従来の靴のものに対して相当に維持されうる。
【００３６】
靴の更に他の好ましい実施形態では、支持機構は、別個の構成要素として利用可能にされる。「別個に利用可能にする」は、支持機構が支持アタッチメント又は制動機構によってのみ靴に接続されることを意味するように理解されたい。それにより、靴は、制動のための足運動制動装置を備えていない靴に実質的に対応して構成されうる。別個の支持機構は、靴の繊維材料に接続されない構成要素である。したがって、実際の靴と支持機構の間の唯一の接続は、支持アタッチメントである。したがって、詳細には、ランニングシューズやサッカーシューズなどの低筒を有する靴で足の最大可動性を達成できる。
【００３７】
特に好ましい更に他の実施形態では、靴は高筒を有し、支持機構は、高筒に一体化される。それにより、支持機構の別個の提供が不要である。更に、それにより、支持機構の動きが実質的に防止される。支持固定具は、好ましくは、アイレット（eyelet）を有するループ、バンド、又はスリングの形で靴の外側に配置される。あるいは、支持固定具は、筒の領域と靴の基本的な締める装置、例えば、伸びにくい編上靴の締めひも又はタッチアンドクローズファスナ靴のタッチアンドクローズファスナの領域によって構成されうる。
【図面の簡単な説明】
【００３８】
本発明の好ましいさらなる実施形態は、図の以下の記述によってより詳細に説明される。
【００３９】
【図１】第１の実施形態による、足関節による足運動を制動するための足運動制動装置の概略斜視側面図である。
【図２】更に他の実施形態による、足関節による足運動を制動するための足運動制動装置の概略側面図である。
【図３】第１の実施形態による、足関節による足運動を制動するための低筒靴（low-shaft shoe）の概略側面図である。
【図４】更に他の実施形態による、足関節による足運動を制動するための高筒靴（high-shaft shoe）の概略側面図である。
【図５】図４の靴の異なる側から見た概略図である。
【図６】更に他の実施形態による、足関節による足運動を制動するための低筒靴の概略側面図である。
【図７】更に他の実施形態による、足関節による足運動を制動するための高筒靴の概略側面図である。
【図８】図７の靴の異なる側から見た概略図である。
【発明を実施するための形態】
【００４０】
好ましい典型的な実施形態が、図と関連して後述される。同一若しくは類似の要素又同一の作用を有する要素は、異なる図で同一の引用符号が提供される。これらの要素の繰り返し記述は、冗長性を回避するためにある程度省略される。
【００４１】
図１は、人間の足１１０に取り付けられた、第１の実施形態による足関節による足運動を制動するための足運動制動装置１の概略斜視側面図を示す。足運動制動装置１は、装具６０の形である。足運動制動装置１は、保持機構３によって足１１０の足関節の距骨１１４（果間関節窩）の下で足１１０に取り付けられる。足運動制動装置１は、距骨１１４の上で、支持機構２によって下腿１１２に取り付けられる。支持機構２と保持機構３は、支持機構２と保持機構３の間の相対運動を適応的（ここでは速度に依存するか加速度に依存するように）に制動する制動機構４によって接続される。図１による足運動制動装置１は、ここで、足関節の内返し運動を適応的に制動可能なように構成される。
【００４２】
足１１０に取り付けるため、保持機構３は、足１１０の裏が載る足裏部材３０を有する。足裏部材３０は、足運動制動装置１の第１の側４６（ここでは足１１０の外側Ｌに対応する側）で、制動機構４の保持アタッチメント４１に接続される。保持アタッチメント４１は、移行具４５（ここでは保持アタッチメント４１に取り付けられたアイレットの形）によって制動機構４の支持アタッチメント４２に接続される。支持アタッチメント４２を介して、制動機構４は支持機構２に接続される。支持アタッチメント４２は、伸びにくく移行具４５のアイレット内で撓むバンドの形で一体形成される。それにより、支持アタッチメント４２は、第１及び第２の支持アーム４３，４４に分けられる。第１の支持アーム４３は、足運動制動装置１の第１の側４６、又は移行部４５と支持機構２の間で支持機構２の第１の側４６に延在する。第２の支持アーム４４は、第１の側４６にある移行部４５から、足運動制動装置１又は支持機構２の第２の側４７まで延在し、そこで支持機構２に接続される。支持アタッチメント４２又はバンドは、移行部４５内で可動式に導かれる。足関節（又はその上側足関節軸）に関して足底屈又は背屈した際、支持アタッチメント４２のバンドがアイレット内で撓む部分は、運動の範囲に従って動かされる。それにより、第１の支持アーム４３と第２の支持アーム４４の長さが僅かに変化する。このわずかな変化は、アイレット内のバンドのわずかな滑りによって補われ、したがって、しっかりと取り付けられたときに皮膚に生じる可能性のあるしわ又は圧点が回避される。
【００４３】
足関節が内返しを受ける場合、第１の側４６で保持機構３と支持機構２の間の距離が増大する。したがって、支持機構２と移行部４５の間の距離が大きくなる。したがって、移行部４５のアイレットを介した第１の側４６での支持機構２上の第１の取り付け領域から、第２の側４７での支持機構２上の第２の取り付け領域までの支持アタッチメント４２の長さの拡張が必要になる。基本的に生理学的範囲内のそのような運動を許容するために、制動機構４は、第１の支持アーム４３に一体化された制動要素４０を有する。制動要素４は、支持機構２にしっかりと接続された管状の第１のダンパ部分４８を有し、また、第１のダンパ部分４８に対して、管状の第１のダンパ部分４８の縦軸に沿って延在する引き抜き方向に沿って可動で、支持アタッチメント４２のバンドに接続された第２のダンパ部分４９を有する。第２のダンパ部分４９は、部分的に管状の第１のダンパ部分４８の内部に延在し、そこに引き抜き部分を有する。更に、制動要素には制動媒体が収容される。第２のダンパ部分４９が第１のダンパ部分４８に対して相対運動する際、第２のダンパ部分４９の運動は、第１のダンパ部分４８の内側及び第２のダンパ部分４９の引き抜き部分の幾何学形状と、制動媒体の成分（詳細には粘性）に従って制動される。ここで、制動要素４０は、運動を適応的に制動するように構成される。したがって、適度な速度又は加速度で動く際、事実的に妨げのない足関節の機動性が可能になる。足関節の靭帯の損傷リスクがある高い速度及び／又は加速度で内返しが行われる場合、制動要素４０は、内返し運動を制動し、損傷が回避される。
【００４４】
更に、制動要素４０は、制動媒体を有する第１のダンパ部分４８の内部を密閉するためのシールと、第２のダンパ部分４９を第１のダンパ部分４８に後退されるか又は押し込まれた位置にリセットするためのリセット手段を有する。リセット手段は、足が内返し位置から戻されたときに第２のダンパ部分４９が第１のダンパ部分４８内に戻されることを保証する。それにより、足運動制動装置１の保護効果は、規定の制限内返し角度に達したとき又はその後だけでなく、足の実質的に全ての位置で可能である。
【００４５】
支持機構２が、内返しの結果として力の作用中に動かず、特に足１１０の方向に滑り落ちないように、支持機構２は、第１及び第２の支持領域２０，２１を有する。第１の支持領域２０は、足運動制動装置１が足１１０又は下腿１１２に取り付けられたときに、前記第１の支持領域が実質的に外果１１５の上になるように支持機構２の第１の側４６に配置される。これと反対側（即ち、第２の側４７）に、支持機構２は、第２の支持領域２１（図示せず）を有する。ここで、第２の支持領域２１は、足運動制動装置１が足１１０又は下腿１１２に取り付けられたときに、前記第２の支持領域が、実質的に内果の上になるように支持機構２上に構成される。内返しの場合、足１１０の方向の引張力が、支持アタッチメント４２を介して支持機構２に導かれ、支持機構２が、第１の支持領域２０によって上から足関節の外果１１５上と、第２の支持領域２１によって上から足関節の内果上に支持される。支持機構２が半径方向に拡大するのを防ぎ、したがって、支持領域２０，２１が足１１０の方向に距骨１１４の上を滑り落ちるのを防ぐために、支持機構２は、第１の支持領域２０と第２の支持領域２１の位置が下腿上に固定される支持固定具２２を有する。支持固定具２２は、ここでは、撓みアイレットとタッチアンドクローズファスナを備えたタッチアンドクローズバンド２５として設計され、したがって、撓みアイレットを介して下腿１１２上でぴんと引っ張られ、タッチアンドクローズファスナによって固定されうる。
【００４６】
図１からの足運動制動装置１は、その構造によりその保護効果を発揮する完全に別個の装置として構成される。装置１を装着している人は、上述の保護効果を得るために、装置１の上に靴を履く必要がない。しかしながら、装置１は、足上に圧点が生じることなく靴の下又は靴内の装置１の装着が可能になるように構成されうる。この目的のため、足裏部材３０は、好ましくは、靴内のインサートに置き換わるインサートとして構成されてもよく、前記インサート上に配置されてもよい。
【００４７】
図２は、足運動制動装置１が帯具７０上に提供された他の実施形態による、足関節による足運動を制動するための足運動制動装置１の第１の側４６（足関節の外側）からの概略側面図を示す。帯具７０は、主構造として、装着者の身体に適応されうる弾性圧縮編物から作成されたストッキング７２を有する。
【００４８】
支持機構２は、帯具７０が足１１０と下腿１１２に取り付けられたときに距骨１１４の上になるように、帯具７０のストッキング７２上に配置される。図１からの実施形態によれば、支持機構２は、外果１１５上で支持するための第１の支持領域２０と、内果上で支持するための第２の支持領域２１（図示せず）とを有する。帯具７０の下側に、帯具７０は、伸びにくく小さい織物タブとして設計された保持アタッチメント４１に横方向に接続された保持機構３を有する。保持アタッチメント４１上にはループの形の移行部４５が配置される。図１からの足運動制動装置１の実施形態による伸びにくいバンドとして構成された支持アタッチメント４２は、ループを介して、支持機構２上の第１の側４６にある第１の取り付け領域４３ａから、第２の側４７にある第２の取り付け領域４４ａ（図示せず）の方向に曲げられる。したがって、支持アタッチメント４２は、第１の側４６で支持機構２に取り付けるための第１の支持アーム４３と、第２の側４７で支持機構２に取り付けるための第２の支持アーム４４に分けられる。
【００４９】
制動要素４０は、取り付け領域４３ａ内に配置され、実質的に支持機構２のタッチアンドクローズバンド２５の幅全体に延在する。その結果、帯具７０には、距骨１１４より下に大きい隆起がない。したがって、帯具７０は、特に、あり得る隆起によって足上に圧点が形成されることなく、低筒靴の下に装着するのに適する。
【００５０】
図３は、第１の実施形態による、足関節による足運動を制動するための低筒靴８０の第１の側４６からの概略側面図を示す。足関節による足運動を制動するための足運動制動装置１が、靴８０上に提供される。靴８０は、靴底８２と甲皮（靴筒８３）とを有する編上スポーツシューズとして構成され、その筒端８６は、履かれた状態で、距骨１１４の下に配置される。靴筒８３は、距骨１１４の上に延在しない。
【００５１】
保持機構３は、靴底８２と甲皮（即ち、いわゆる靴筒８３）とによって構成される。足１１０に対する位置的に安定した取り付けは、編上８４によって達成され、これにより、靴筒８３を足１１０の輪郭上に引き上げることができる。第１の側４６（即ち、足１１０の外側）に、寸法的に安定したフランジの形の保持接続部材４１が、靴筒８３に固定される。フランジには制動要素４０が固定される。制動要素４０は、伸びにくい編物の形の支持アタッチメント４２によって移行部４５にしっかりと接続される。支持アタッチメント４２は、下腿１１２に取り付けられた状態で、足関節の外側に対応する支持機構２の第１の側４６の部分によって支持機構２に接続され、下腿１１２に取り付けられた状態で、足関節の内側に対応する支持機構２の第２の側４７の他の部分によって支持機構２に接続される。したがって、制動機構４によって支持アタッチメント４１を介して支持機構２に導かれる力は、第１の側４６と第２の側４７の両方で支持機構２に導かれる。
【００５２】
図４に示された実施形態では、支持機構２は、別個の構成要素として構成される。したがって、支持機構２は、制動機構４の支持アタッチメント４２によってのみ靴筒８３に接続される。したがって、履かれた状態で、距骨１１４の上に配置された支持機構２と、距骨１１４の下に配置された筒端８６の間には距離がある。
【００５３】
図４は、足関節による足運動を制動するための足運動制動装置１を有する高筒靴８０の概略側面図を示す。靴８０の基本構造は、実質的に図３の靴の基本構造に対応するが、図４の靴８０が高筒８５を有する点が異なる。したがって、靴８０の筒端８６は、履かれた状態で、ここで引用符号１１４によって示された距骨１１４の上にある。更に、支持機構２は、靴８０と一体化される。支持機構２は、第１の側４６で外果１１５の上から支持するための第１の支持領域２０と、第２の側４７で内果１１６（図示せず）の上から支持するための第２の支持領域２１（ここでは隠れている）とを有する。支持領域２０，２１は、高筒８５の内部に配置される。支持機構２の安定性を保証するために、タッチアンドクローズバンド２５の形の支持固定具２２が、高筒８５上に提供される。
【００５４】
図５は、図４からの靴８０を第２の側４７（足関節の内側）から見たように概略的に示す。支持アタッチメント４２は、第２の側４７で、近似的にここで引用符号１１６によって示された内果の位置の後端まで延在する。
【００５５】
図６は、更に他の実施形態による、足関節による足運動を制動するための足運動制動装置１を有する低筒靴８０の概略側面図を示す。靴８０は、まさに実質的に図３の靴に対応する。唯一の違いは、図６に示された靴８０が、横編生地の代わりに、伸びにくく保持アタッチメント４１への移行部４５によって第１の支持アーム４３と第２の支持アーム４４に分かれたバンドの形の支持アタッチメント４２を有することである。第１の支持アーム４３は、第１の側４６にある第１の取り付け領域４３ａで支持機構２に接続され、第２の側４７にある第２の取り付け領域４４ａ（図示せず）で支持機構２に接続される。移行部４５は、固定シームとして構成される。
【００５６】
図７は、更に他の実施形態による、足関節による足運動を制動するための足運動制動装置１を有する高筒靴８０の概略側面図を示す。高筒靴８０は、図４のものに対応し、支持アタッチメント４２は、横編生地の代わりに、伸びにくく、実質的に丸い断面を有し、保持アタッチメント４１への移行部４５によって第１の支持アーム４３と第２の支持アーム４４に分かれるレースの形で利用可能にされる。第１の支持アーム４３は、第１の側４６にある第１の取り付け領域４３ａで支持機構２に接続され、第２の側４７にある第２の取り付け領域４４ａ（図示せず）で支持機構２に接続される。移行部４５は、第２のダンパ部分４６の端でアイレットとして構成され、そのアイレット内にレースが可動式に保持される。
【００５７】
図８は、図７の靴８０を第２の側４７（足関節の内側）から見たように概略的に示す。支持アタッチメント４２は、第２の側４７で、近似的に、ここで引用符号１１６によって示された内果の位置の後端まで延在する。更に、タッチアンドクローズバンドの下に配置された第２の取り付け領域は、引用符号４４ａによって示される。
【００５８】
上述の実施形態では、硬質のアタッチメントの代わりに、第１の取り付け領域４３ａ及び／又は第２の取り付け領域４４ａが、調整可能になるように構成されうる。例えば、支持アーム４３，４４の少なくとも一方は、ラッチ機構、支持アタッチメント上に配列された複数のフックを備えたフック接続、又はタッチアンドクローズ接続を有しうる。少なくとも１つの調整可能な取り付け領域４３ａ，４４ａは、更に、支持固定具２２の取付具によって固定されることが好ましい。
【００５９】
適用可能な場合、典型的な実施形態で述べられた個々の特徴すべては、本発明の範囲から逸脱することなく、互いに組み合わされ及び／又は交換されうる。
【符号の説明】
【００６０】
１  足運動制動装置
２  支持機構
２０  支持領域
２２  支持固定
２３  撓みアイレット
２４  タッチアンドクローズファスナ
２５  タッチアンドクローズバンド
３  保持機構
３０  足裏部材
４  制動機構
４０  制動要素
４１  保持アタッチメント
４２  支持アタッチメント
４３  第１の支持アーム
４３ａ  第１の取り付け領域
４４  第２の支持アーム
４４ａ  第２の取り付け領域
４５  移行部
４６  第１の側
４７  第２の側
４８  第１のダンパ部分
４９  第２のダンパ部分
６０  装具
７０  帯具
７２  ストッキング
８０  靴
８２  靴底
８３  靴筒
８４  締めひも
８５  高筒
８６  筒端
１１０  足
１１２  下腿
１１４  距骨
１１５  外果
１１６  内果
Ｎ  内側
Ｌ  外側
【図１】
2020519414.tif 000003
【図２】
2020519414.tif 000004
【図３】
2020519414.tif 000005
【図４】
2020519414.tif 000006
【図５】
2020519414.tif 000007
【図６】
2020519414.tif 000008
【図７】
2020519414.tif 000009
【図８】
2020519414.tif 000010
【国際調査報告】
2020519414.tif 000011
2020519414.tif 000012
2020519414.tif 000013
2020519414.tif 000014